(57)【特許請求の範囲】
【請求項１】
少なくとも一つの選択ラインと、
少なくとも一つのデータラインと、
前記選択ライン及び前記データラインに接続される画素駆動回路と、一端側が前記画素駆動回路に接続された発光素子と、を備える少なくとも一つの画素と、
前記選択ラインに前記画素を選択状態とする走査信号を印加するセレクトドライバと、
前記データラインに設定された電圧値の電圧を印加するデータドライバと、
前記画素の前記画素駆動回路の電源端子に駆動電圧を供給する電源ドライバと、
一端が前記発光素子の他端側に接続された電流計と、
前記電流計の他端の電位を設定する電位設定回路と、
を備え、
前記電源ドライバ及び前記電位設定回路により前記駆動電圧の電位と前記電流計の他端の電位とを設定して、前記駆動電圧と前記電流計の他端との電位差が、前記画素駆動回路の前記電源端子と前記発光素子の前記他端との間に電流が流れない値に設定されたときに、前記データドライバから、前記データラインと、前記選択状態とされた前記画素の前記画素駆動回路と、前記発光素子と、を介して流れる電流の電流値を前記電流計により測定することを特徴とする発光装置。
【請求項２】
前記データドライバは、
前記電流計により測定された前記電流の電流値に基づいて、前記発光素子の発光輝度の該発光素子が初期特性を有しているときの初期の発光輝度に対する比率を示す、発光効率を取得する発光効率取得部と、
前記発光効率取得部が取得した前記発光効率に基づいて、外部から供給される画像データに応じた電圧データを補正した補正電圧データを生成する補正演算部と、
を備えることを特徴とする請求項１に記載の発光装置。
【請求項３】
前記画素を複数有し、
前記電位設定回路は、前記発光効率の取得を行う際に前記電流計の他端を第１の電位を設定し、
前記データドライバは、前記発光効率の取得を行う際に、前記複数の画素における前記発光効率を取得する前記画素に接続される前記データラインに、前記第１の電位に対して、前記発光素子に対して順方向バイアスとなる所定の電位差を有する第１の電圧を印加し、前記発光効率を取得しない前記画素に接続される前記データラインに前記第１の電位と同電位又は前記発光素子の両端間の電位差が該発光素子に電流が流れない電位差となる電位の第２の電圧を印加することを特徴とする請求項２に記載の発光装置。
【請求項４】
前記複数の画素は複数の行及び複数の列に沿って配設され、前記選択ラインは前記複数の行に沿って複数配設され、前記データラインは前記複数の列に沿って複数配設され、
前記セレクトドライバは、前記発光効率の取得を行う際に、前記複数の選択ラインのうちの一つの特定の選択ラインに接続された前記画素のみを前記選択状態とし、
前記データドライバは、前記発光効率の取得を行う際に、前記複数のデータラインのうちの一つの特定のデータラインに前記第１の電圧を印加し、前記特定のデータラインを除く他の前記データラインに前記第２の電圧を印加し、
前記発光効率の取得は、前記複数の画素のうちの一つの画素に対して行われることを特徴とする請求項３に記載の発光装置。
【請求項５】
前記複数の画素は複数の行及び複数の列に沿って配設され、前記選択ラインは前記複数の行に沿って複数配設され、前記データラインは前記複数の列に沿って複数配設され、
前記セレクトドライバは、前記発光効率の取得を行う際に、前記複数の選択ラインのうちの一つの特定の選択ラインに接続された所定数の前記画素のみを前記選択状態とし、
前記データドライバは、前記発光効率の取得を行う際に、前記複数のデータラインに前記第１の電圧を印加し、
前記電流計は、前記発光効率の取得を行う際に、前記複数の画素のうちの一つの行に配設された前記所定数の画素を介して流れる電流の電流値を測定し、
前記発光効率取得部は、前記電流計により測定された前記電流の電流値を前記所定数で除した値に基づいて、前記発光素子の発光効率を取得することを特徴とする請求項３に記載の発光装置。
【請求項６】
前記複数の画素は複数の行及び複数の列に沿って配設され、前記選択ラインは前記複数の行に沿って複数配設され、前記データラインは前記複数の列に沿って複数配設され、
前記セレクトドライバは、前記発光効率の取得を行う際に、前記複数の選択ラインのうちの２以上の第１の数の前記選択ラインからなる選択ライン群に接続された前記画素のみを前記選択状態とし、
前記データドライバは、前記発光効率の取得を行う際に、前記複数のデータラインのうちの２以上の第２の数の前記データラインからなるデータライン群に前記第１の電圧を印加し、前記データライン群を除く他の前記データラインに前記第２の電圧を印加し、
前記電流計は、前記発光効率の取得を行う際に、前記複数の画素のうちの前記選択ライン群と前記データライン群に接続された所定数の前記画素を介して流れる電流の電流値を測定し、
前記発光効率取得部は、前記電流計により測定された前記電流の電流値を前記所定数で除した値に基づいて、前記発光素子の発光効率を取得することを特徴とする請求項３に記載の発光装置。
【請求項７】
前記画素駆動回路は、一端に前記駆動電圧が印加され、他端が前記発光素子の前記一端側に接続される第１の電流路と、前記選択ラインに接続される第１の制御端子と、を有する第１のトランジスタと、一端が前記データラインに接続され、他端が前記第１のトランジスタの前記第１の電流路の他端に接続される第２の電流路と、前記選択ラインに接続される第２の制御端子と、を有する第２のトランジスタと、を有し、
前記データドライバより前記データラインに前記第１の電圧が印加されたとき、前記データドライバから、前記データラインと、前記選択状態とされた前記画素の前記画素駆動回路の前記第２のトランジスタの前記第２の電流路と、前記発光素子と、を介して前記電流計に前記電流が流れることを特徴とする請求項３乃至６の何れか１項に記載の発光装置。
【請求項８】
発光装置の駆動制御方法であって、
少なくとも一つの選択ラインと、少なくとも一つのデータラインと、前記選択ライン及び前記データラインに接続される画素駆動回路と一端側が前記画素駆動回路に接続された発光素子とを備える少なくとも一つの画素と、前記選択ラインに前記画素を選択状態とする走査信号を印加するセレクトドライバと、前記データラインに設定された電圧値の電圧を印加するデータドライバと、前記画素の前記画素駆動回路の電源端子に駆動電圧を供給する電源ドライバと、一端が前記発光素子の他端側に接続された電流計と、を備える前記発光装置を準備する準備ステップと、
前記電源ドライバから供給する前記駆動電圧の電位と前記電流計の他端の電位とを設定して、前記駆動電圧と前記電流計の他端との電位差を、前記画素駆動回路の前記電源端子と前記発光素子の前記他端との間に電流が流れない値に設定する電位設定ステップと、
前記セレクトドライバにより前記画素を前記選択状態とする選択ステップと、
前記電位設定ステップにより前記駆動電圧と前記電流計の他端との電位を設定した状態で、前記データドライバから、前記データラインと、前記選択状態とされた前記画素の前記画素駆動回路と、前記発光素子と、を介して流れる電流の電流値を測定する電流測定ステップと、
を含むことを特徴とする発光装置の駆動制御方法。
【請求項９】
前記電流計により測定された前記電流の電流値に基づいて、前記発光素子の発光輝度の該発光素子が初期特性を有しているときの初期の発光輝度に対する比率を示す、発光効率を取得する発光効率取得ステップと、
前記発光効率取得ステップにより取得した前記発光効率に基づいて、外部から供給される表示データに応じた電圧データを補正した補正電圧データを生成する補正ステップと、
を更に含むことを特徴とする請求項８に記載の発光装置の駆動制御方法。
【請求項１０】
前記発光装置は前記画素を複数有し、
前記電位設定ステップは、前記電流計の他端を第１の電位に設定し、
前記発光効率取得ステップを実行する際に、前記複数の画素における前記発光効率を取得する前記画素に接続される前記データラインに、前記第１の電位に対して、前記発光素子に対して順方向バイアスとなる所定の電位差を有する第１の電圧を印加し、前記発光効率を取得しない前記画素に接続される前記データラインに前記第１の電位と同電位又は前記発光素子の両端間の電位差が該発光素子に電流が流れない電位差となる電位の第２の電圧を印加する電圧印加ステップを含むことを特徴とする請求項９に記載の発光装置の駆動制御方法。
【請求項１１】
前記発光装置において、前記複数の画素は複数の行及び複数の列に沿って配設され、前記選択ラインは前記複数の行に沿って複数配設され、前記データラインは前記複数の列に沿って複数配設されており、
前記選択ステップは、前記発光効率取得ステップを実行する際に、前記複数の選択ラインのうちの一つの特定の選択ラインに接続された前記画素のみを前記選択状態とし、
前記電圧印加ステップは、前記発光効率取得ステップを実行する際に、前記データドライバより、前記複数のデータラインのうちの一つの特定のデータラインに前記第１の電圧を印加し、前記特定のデータラインを除く他の前記データラインに前記第２の電圧を印加し、
前記発光効率取得ステップにおける前記発光効率の取得は、前記複数の画素のうちの一つの画素に対して行われることを特徴とする請求項１０に記載の発光装置の駆動制御方法。
【請求項１２】
前記発光装置において、前記複数の画素は複数の行及び複数の列に沿って配設され、前記選択ラインは前記複数の行に沿って複数配設され、前記データラインは前記複数の列に沿って複数配設されており、
前記選択ステップは、前記発光効率取得ステップを実行する際に、前記複数の選択ラインのうちの一つの特定の選択ラインに接続された所定数の前記画素のみを前記選択状態とし、
前記電圧印加ステップは、前記データドライバより前記複数のデータラインに前記第１の電圧を印加し、
前記電流測定ステップは、特定の選択ラインに接続された前記所定数の画素を介して流れる電流の電流値を測定するステップを含み、
前記発光効率取得ステップは、前記電流計により測定された前記電流の電流値を前記所定数で除した値に基づいて、前記発光素子の発光効率を取得することを特徴とする請求項１０に記載の発光装置の駆動制御方法。
【請求項１３】
前記発光装置において、前記複数の画素は複数の行及び複数の列に沿って配設され、前記選択ラインは前記複数の行に沿って複数配設され、前記データラインは前記複数の列に沿って複数配設されており、
前記選択ステップは、前記発光効率の取得を行う際に、前記複数の選択ラインのうちの２以上の第１の数の前記選択ラインからなる選択ライン群に接続された前記画素のみを前記選択状態とし、
前記電圧印加ステップは、前記複数のデータラインのうちの２以上の第２の数の前記データラインからなるデータライン群に前記第１の電圧を印加し、前記データライン群を除く他の前記データラインに前記第２の電圧を印加し、
前記電流測定ステップは、前記複数の画素のうちの前記選択ライン群と前記データライン群に接続された所定数の前記画素を介して流れる電流の電流値を測定し、
前記発光効率取得ステップは、前記電流計により測定された前記電流の電流値を前記所定数で除した値に基づいて、前記発光素子の発光効率を取得することを特徴とする請求項１０に記載の発光装置の駆動制御方法。
【請求項１４】
請求項１乃至７のいずれか１項に記載の発光装置が実装されてなることを特徴とする電子機器。
【発明の詳細な説明】
【技術分野】
【０００１】
本発明は、発光装置及びその駆動制御方法並びに電子機器に関し、特に、画素に画像データに応じて発光する発光素子を備える発光装置及びその駆動制御方法、並びに、該発光装置を実装した電子機器に関する。
【背景技術】
【０００２】
有機ＥＬ素子、無機ＥＬ素子又はＬＥＤ等の発光素子がマトリクス（行列）状に配列されて、各発光素子が発光することによって表示を行う発光素子型ディスプレイ（発光装置）が知られている。
【０００３】
発光素子型ディスプレイは、高輝度、高コントラスト、高精細、低電力等の点で、優位性を有しており、特に、有機ＥＬ素子が注目されている。
【０００４】
有機ＥＬ素子を画素に有する発光装置として、有機ＥＬ素子に印加する電圧を制御することにより、有機ＥＬ素子に流す電流を制御して、所望の発光輝度を得るようにした有機ＥＬ表示装置がある。
【０００５】
ここで、有機ＥＬ素子は、経時劣化により高抵抗化するとともに発光効率が低下することが知られている。このため、同一の電圧を印加した場合には、有機ＥＬ素子を流れる電流が時間の経過と共に減少し、発光輝度が低下する。このため、有機ＥＬ表示装置を使い続けると、発光輝度が次第に低下して画像が徐々に暗くなり、表示品位が徐々に低下してしまう。
【０００６】
この問題に関し、有機ＥＬ素子を流れる電流の変動を補償する補償回路が、特許文献１に提案されている。
【先行技術文献】
【特許文献】
【０００７】
【特許文献１】特開２００９−２４４６５４号公報
【発明の概要】
【発明が解決しようとする課題】
【０００８】
特許文献１に記載の補償回路は、経時劣化が生じても初期特性での発光輝度が得られるようにするために、発光素子に定電流を流し、そのときの、発光素子の端子間電圧を検定し、検定電圧に基づいて、画素に印加する電圧を補正する。
特許文献１に記載の手法は、高い効果はあるもの、データラインに定電流を流す必要があり、回路構成及び制御が複雑である。また、検定された端子間電圧に基づいて、印加電圧を補正しても、所望の電流が発光素子に流れるとは限らず、より発光輝度の低下を抑制して、初期特性での発光輝度に近い表示（発光）を行うことができる発光装置が望まれている。
【０００９】
本発明は、上記実情に鑑みてなされたものであり、比較的簡単な構成で、初期特性時と同等の表示を行うことができる発光装置及びその駆動制御方法、並びに、該発光装置を実装した電子機器を提供することを目的とする。
【課題を解決するための手段】
【００１０】
本発明の第１の観点に係る発光装置は、
少なくとも一つの選択ラインと、
少なくとも一つのデータラインと、
前記選択ライン及び前記データラインに接続される画素駆動回路と、一端側が前記画素駆動回路に接続された発光素子と、を備える少なくとも一つの画素と、
前記選択ラインに前記画素を選択状態とする走査信号を印加するセレクトドライバと、
前記データラインに設定された電圧値の電圧を印加するデータドライバと、
前記画素の前記画素駆動回路の電源端子に駆動電圧を供給する電源ドライバと、
一端が前記発光素子の他端側に接続された電流計と、
前記電流計の他端の電位を設定する電位設定回路と、
を備え、
前記電源ドライバ及び前記電位設定回路により前記駆動電圧の電位と前記電流計の他端の電位とを設定して、前記駆動電圧と前記電流計の他端との電位差が、前記画素駆動回路の前記電源端子と前記発光素子の前記他端との間に電流が流れない値に設定されたときに、前記データドライバから、前記データラインと、前記選択状態とされた前記画素の前記画素駆動回路と、前記発光素子と、を介して流れる電流の電流値を前記電流計により測定することを特徴とする。
【００１１】
前記データドライバは、
前記電流計により測定された前記電流の電流値に基づいて、前記発光素子の発光輝度の該発光素子が初期特性を有しているときの初期の発光輝度に対する比率を示す、発光効率を取得する発光効率取得部と、
前記発光効率取得部が取得した前記発光効率に基づいて、外部から供給される画像データに応じた電圧データを補正した補正電圧データを生成する補正演算部と、
を備えてもよい。
【００１２】
前記画素を複数有し、
前記電位設定回路は、前記発光効率の取得を行う際に前記電流計の他端を第１の電位を設定し、
前記データドライバは、前記発光効率の取得を行う際に、前記複数の画素における前記発光効率を取得する前記画素に接続される前記データラインに、前記第１の電位に対して、前記発光素子に対して順方向バイアスとなる所定の電位差を有する第１の電圧を印加し、前記発光効率を取得しない前記画素に接続される前記データラインに前記第１の電位と同電位又は前記発光素子の両端間の電位差が該発光素子に電流が流れない電位差となる電位の第２の電圧を印加してもよい。
【００１３】
前記複数の画素は複数の行及び複数の列に沿って配設され、前記選択ラインは前記複数の行に沿って複数配設され、前記データラインは前記複数の列に沿って複数配設され、
前記セレクトドライバは、前記発光効率の取得を行う際に、前記複数の選択ラインのうちの一つの特定の選択ラインに接続された前記画素のみを前記選択状態とし、
前記データドライバは、前記発光効率の取得を行う際に、前記複数のデータラインのうちの一つの特定のデータラインに前記第１の電圧を印加し、前記特定のデータラインを除く他の前記データラインに前記第２の電圧を印加し、
前記発光効率の取得は、前記複数の画素のうちの一つの画素に対して行われてもよい。
【００１４】
前記複数の画素は複数の行及び複数の列に沿って配設され、前記選択ラインは前記複数の行に沿って複数配設され、前記データラインは前記複数の列に沿って複数配設され、
前記セレクトドライバは、前記発光効率の取得を行う際に、前記複数の選択ラインのうちの一つの特定の選択ラインに接続された所定数の前記画素のみを前記選択状態とし、
前記データドライバは、前記発光効率の取得を行う際に、前記複数のデータラインに前記第１の電圧を印加し、
前記電流計は、前記発光効率の取得を行う際に、前記複数の画素のうちの一つの行に配設された前記所定数の画素を介して流れる電流の電流値を測定し、
前記発光効率取得部は、前記電流計により測定された前記電流の電流値を前記所定数で除した値に基づいて、前記発光素子の発光効率を取得してもよい。
【００１５】
前記複数の画素は複数の行及び複数の列に沿って配設され、前記選択ラインは前記複数の行に沿って複数配設され、前記データラインは前記複数の列に沿って複数配設され、
前記セレクトドライバは、前記発光効率の取得を行う際に、前記複数の選択ラインのうちの２以上の第１の数の前記選択ラインからなる選択ライン群に接続された前記画素のみを前記選択状態とし、
前記データドライバは、前記発光効率の取得を行う際に、前記複数のデータラインのうちの２以上の第２の数の前記データラインからなるデータライン群に前記第１の電圧を印加し、前記データライン群を除く他の前記データラインに前記第２の電圧を印加し、
前記電流計は、前記発光効率の取得を行う際に、前記複数の画素のうちの前記選択ライン群と前記データライン群に接続された所定数の前記画素を介して流れる電流の電流値を測定し、
前記発光効率取得部は、前記電流計により測定された前記電流の電流値を前記所定数で除した値に基づいて、前記発光素子の発光効率を取得してもよい。
【００１６】
前記画素駆動回路は、一端に前記駆動電圧が印加され、他端が前記発光素子の前記一端側に接続される第１の電流路と、前記選択ラインに接続される第１の制御端子と、を有する第１のトランジスタと、一端が前記データラインに接続され、他端が前記第１のトランジスタの前記第１の電流路の他端に接続される第２の電流路と、前記選択ラインに接続される第２の制御端子と、を有する第２のトランジスタと、を有し、
前記データドライバより前記データラインに前記第１の電圧が印加されたとき、前記データドライバから、前記データラインと、前記選択状態とされた前記画素の前記画素駆動回路の前記第２のトランジスタの前記第２の電流路と、前記発光素子と、を介して前記電流計に前記電流が流れてもよい。
【００１７】
本発明の第２の観点に係る発光装置の駆動制御方法は、
少なくとも一つの選択ラインと、少なくとも一つのデータラインと、前記選択ライン及び前記データラインに接続される画素駆動回路と一端側が前記画素駆動回路に接続された発光素子とを備える少なくとも一つの画素と、前記選択ラインに前記画素を選択状態とする走査信号を印加するセレクトドライバと、前記データラインに設定された電圧値の電圧を印加するデータドライバと、前記画素の前記画素駆動回路の電源端子に駆動電圧を供給する電源ドライバと、一端が前記発光素子の他端側に接続された電流計と、を備える前記発光装置を準備する準備ステップと、
前記電源ドライバから供給する前記駆動電圧の電位と前記電流計の他端の電位とを設定して、前記駆動電圧と前記電流計の他端との電位差を、前記画素駆動回路の前記電源端子と前記発光素子の前記他端との間に電流が流れない値に設定する電位設定ステップと、
前記セレクトドライバにより前記画素を前記選択状態とする選択ステップと、
前記電位設定ステップにより前記駆動電圧と前記電流計の他端との電位を設定した状態で、前記データドライバから、前記データラインと、前記選択状態とされた前記画素の前記画素駆動回路と、前記発光素子と、を介して流れる電流の電流値を測定する電流測定ステップと、
を含むことを特徴とする。
【００１８】
前記電流計により測定された前記電流の電流値に基づいて、前記発光素子の発光輝度の該発光素子が初期特性を有しているときの初期の発光輝度に対する比率を示す、発光効率を取得する発光効率取得ステップと、
前記発光効率取得ステップにより取得した前記発光効率に基づいて、外部から供給される表示データに応じた電圧データを補正した補正電圧データを生成する補正ステップと、
を更に含んでもよい。
【００１９】
前記発光装置は前記画素を複数有し、
前記電位設定ステップは、前記電流計の他端を第１の電位に設定し、
前記発光効率取得ステップを実行する際に、前記複数の画素における前記発光効率を取得する前記画素に接続される前記データラインに、前記第１の電位に対して、前記発光素子に対して順方向バイアスとなる所定の電位差を有する第１の電圧を印加し、前記発光効率を取得しない前記画素に接続される前記データラインに前記第１の電位と同電位又は前記発光素子の両端間の電位差が該発光素子に電流が流れない電位差となる電位の第２の電圧を印加する電圧印加ステップを含んでもよい。
【００２０】
前記発光装置において、前記複数の画素は複数の行及び複数の列に沿って配設され、前記選択ラインは前記複数の行に沿って複数配設され、前記データラインは前記複数の列に沿って複数配設されており、
前記選択ステップは、前記発光効率取得ステップを実行する際に、前記複数の選択ラインのうちの一つの特定の選択ラインに接続された前記画素のみを前記選択状態とし、
前記電圧印加ステップは、前記発光効率取得ステップを実行する際に、前記データドライバより、前記複数のデータラインのうちの一つの特定のデータラインに前記第１の電圧を印加し、前記特定のデータラインを除く他の前記データラインに前記第２の電圧を印加し、
前記発光効率取得ステップにおける前記発光効率の取得は、前記複数の画素のうちの一つの画素に対して行われてもよい。
【００２１】
前記発光装置において、前記複数の画素は複数の行及び複数の列に沿って配設され、前記選択ラインは前記複数の行に沿って複数配設され、前記データラインは前記複数の列に沿って複数配設されており、
前記選択ステップは、前記発光効率取得ステップを実行する際に、前記複数の選択ラインのうちの一つの特定の選択ラインに接続された所定数の前記画素のみを前記選択状態とし、
前記電圧印加ステップは、前記データドライバより前記複数のデータラインに前記第１の電圧を印加し、
前記電流測定ステップは、特定の選択ラインに接続された前記所定数の画素を介して流れる電流の電流値を測定するステップを含み、
前記発光効率取得ステップは、前記電流計により測定された前記電流の電流値を前記所定数で除した値に基づいて、前記発光素子の発光効率を取得してもよい。
【００２２】
前記発光装置において、前記複数の画素は複数の行及び複数の列に沿って配設され、前記選択ラインは前記複数の行に沿って複数配設され、前記データラインは前記複数の列に沿って複数配設されており、
前記選択ステップは、前記発光効率の取得を行う際に、前記複数の選択ラインのうちの２以上の第１の数の前記選択ラインからなる選択ライン群に接続された前記画素のみを前記選択状態とし、
前記電圧印加ステップは、前記複数のデータラインのうちの２以上の第２の数の前記データラインからなるデータライン群に前記第１の電圧を印加し、前記データライン群を除く他の前記データラインに前記第２の電圧を印加し、
前記電流測定ステップは、前記複数の画素のうちの前記選択ライン群と前記データライン群に接続された所定数の前記画素を介して流れる電流の電流値を測定し、
前記発光効率取得ステップは、前記電流計により測定された前記電流の電流値を前記所定数で除した値に基づいて、前記発光素子の発光効率を取得してもよい。
【００２３】
本発明の第３の観点に係る電子機器は、
前記発光装置のいずれかが実装されてなることを特徴とする。
【発明の効果】
【００２４】
本発明によれば、比較的簡単な構成で、初期特性時と同等の表示を行うことができる発光装置及びその駆動制御方法、並びに、該発光装置を実装した電子機器を提供することができる。
【図面の簡単な説明】
【００２５】
【図１】本発明の有機ＥＬ表示装置の構成の一例を示す図である。
【図２】セレクトラインに順次出力される走査信号と電源ラインに順次出力される電圧の一例を示す図である。
【図３】本発明のデータドライバの構成の一例を示す図である。
【図４】（ａ）は、検出電流の変化率−発光効率の関係の一例を示す図であり、（ｂ）は、検出電流の変化率−発光効率の関係の一例を示す表であり、（ｃ）は、有機ＥＬ素子の電圧−電流の関係の一例を示す図である。
【図５】本発明の第１の実施形態の発光効率取得動作における走査信号とデータラインに順次出力される電圧の一例を示す図である。
【図６】本発明の第１の実施形態における発光効率取得動作の一例を示す図である。
【図７】本発明の第２の実施形態の発光効率取得動作における走査信号とデータラインに順次出力される電圧の一例を示す図である。
【図８】本発明の第２の実施形態における発光効率取得動作の一例を示す図である。
【図９】本発明の第３の実施形態における表示領域の分割の一例を示す図である。
【図１０】本発明の第３の実施形態の発光効率取得動作における走査信号とデータラインに順次出力される電圧の一例を示す図である。
【図１１】（ａ）は、本発明の第３の実施形態におけるシフトレジスタの一例を示す図であり、（ｂ）は、本発明の第３の実施形態におけるセレクトラインに出力する走査信号の生成方法の一例を説明するための図である。
【図１２】（ａ）は、本発明の表示動作時における画素駆動回路の各部の電圧または電流の一例を示す図であり、（ｂ）は、本発明の発光効率抽出動作時における画素駆動回路の各部の電圧または電流の一例を示す図であり、（ｃ）は、本発明の画素駆動回路を駆動させるための電源構成の一例を示す図である。
【図１３】（ａ）は、本発明に係る有機ＥＬ表示装置を適用したデジタルカメラの構成例を示す正面斜視図であり、（ｂ）は、本発明に係る有機ＥＬ表示装置を適用したデジタルカメラの構成例を示す背面斜視図である。
【図１４】本発明に係る有機ＥＬ表示装置を適用したパーソナルコンピュータの構成例を示す斜視図である。
【図１５】本発明に係る有機ＥＬ表示装置を適用した携帯電話機の構成例を示す図である。
【発明を実施するための形態】
【００２６】
以下に、本発明の実施形態に係る有機ＥＬ表示装置（発光装置）１について説明する。有機ＥＬ表示装置１は、図１に示すように、表示パネル２と、セレクトドライバ３と、電源ドライバ４と、データドライバ５と、システムコントローラ６と、電流計７と、カソード回路８とを有している。
【００２７】
表示パネル２は、ｎ行ｍ列のマトリクス状に配置された画素２１（２１（１，１）〜２１（ｎ，ｍ））と、行方向（図１の左右方向）に延び、列方向に配列されている複数のセレクトライン（選択ライン）Ｌｓ１〜Ｌｓｎおよび電源ラインＬｖ１〜Ｌｖｎと、列方向（図１の上下方向）に延び、行方向に配列されている複数のデータラインＬｄ１〜Ｌｄｍとを有している。
【００２８】
画素２１（ｉ，ｊ）（ｉ＝１〜ｎ，ｊ＝１〜ｍ）は、セレクトラインＬｓｉとデータラインＬｄｊの交点の近傍に配置され、同一行のセレクトラインＬｓｉと電源ラインＬｖｉと同一列のデータラインＬｄｊに接続されている。
【００２９】
画素２１（ｉ，ｊ）は、画素駆動回路２１Ｄと有機ＥＬ素子ＯＥＬとから構成されている。
【００３０】
画素２１（ｉ，ｊ）の画素駆動回路２１Ｄは、トランジスタＴ２１〜Ｔ２３とコンデンサＣ１とを含む。
【００３１】
トランジスタＴ２１〜Ｔ２３は、アモルファスシリコンまたはポリシリコンを用いたｎチャネル型ＴＦＴ（薄膜トランジスタ：Ｔｈｉｎ  Ｆｉｌｍ  Ｔｒａｎｓｉｓｔｏｒ）である。
【００３２】
トランジスタＴ２１は、ゲートがセレクトラインＬｓｉに接続され、ドレインがノードＮ２２に接続され、ソースが電源ラインＬｖｉとトランジスタＴ２３のソースに接続されている。
【００３３】
トランジスタＴ２２は、ゲートがセレクトラインＬｓｉに接続され、ソースがデータラインＬｄｊに接続され、ドレインがノードＮ２１に接続されている。
【００３４】
トランジスタＴ２３は、ゲートがノードＮ２２に接続され、ドレインがノードＮ２１に接続され、ソースが電源ラインＬｖｉとトランジスタＴ２１のソースに接続されている。ここで、電源ラインＬｖｊに接続されるトランジスタＴ２１のソース及びトランジスタＴ２３のソースは、本発明の電源端子に対応する。
【００３５】
また、コンデンサＣ１は、ノードＮ２２とノードＮ２１の間、すなわち、トランジスタＴ２３のゲートとドレインの間に接続されている。
【００３６】
有機ＥＬ素子ＯＥＬは、アノード電極と、カソード電極と、これらの電極間に形成された電子注入層、発光層、正孔注入層、等を備える。有機ＥＬ素子ＯＥＬのアノード電極は、ノードＮ２１に接続され、カソード電極は、全ての画素２１に共通の電流計７の一端に接続されている。
【００３７】
有機ＥＬ素子ＯＥＬは、アノード電極からカソード電極に向かって電流が流れると、発光層において正孔注入層から供給された正孔と電子注入層から供給された電子とが再結合し、この際に発生するエネルギーによって発光する。
【００３８】
セレクトドライバ３は、画素２１の行（以下、画素行とする）を選択して、各画素２１を選択状態とするための回路であり、表示動作時（発光動作時）及び後述する発光効率取得動作時に、図２（Ａ）〜図２（Ｄ）に示すように、セレクトラインＬｓ１〜Ｌｓｎに、選択期間ｔｓの間には、高電位のハイレベル電圧Ｖｈｉｇｈ（選択レベル）となり、それ以外の期間（非選択期間：発光期間）には低電位のロウレベル電圧Ｖｌｏｗ（非選択レベル）となる走査信号を順次出力する。
【００３９】
図１に示す電源ドライバ４は、表示動作時（発光動作時）には、図２（Ｅ）〜（Ｈ）に示すように、各選択期間ｔｓにおいて、走査信号が印加されたセレクトラインＬｓ１〜Ｌｓｎに対応する画素行に接続された電源ラインＬｖ１〜Ｌｖｎに基準電圧Ｖｓｓ（例えば、接地電位ＧＮＤ＝０Ｖ）を順次出力し、それ以外の期間、基準電圧Ｖｓｓより高いレベルの電源電圧Ｖｃｃを出力する。
【００４０】
また、電源ドライバ４は、後述する発光効率取得動作時には、全ての電源ラインＬｖ１〜Ｌｖｎに共通電圧Ｖｃｏｍ（例えば、−１０V）を印加する機能を備える。基準電圧Ｖｓｓ、電源電圧Ｖｃｃ及び共通電圧Ｖｃｏｍは、本発明の駆動電圧に対応する。
【００４１】
図１に示すデータドライバ５は、後述する表示動作時には、デ−タラインＬｄ１〜Ｌｄｍに画像の各画素の表示階調に対応するアナログ表示信号を印加する。
【００４２】
一方、データドライバ５は、後述する発光効率取得動作時には、データラインＬｄ１〜Ｌｄｍに設定電圧Ｖｄ（例えば、−３Ｖ）又は共通電圧Ｖｃｏｍ（例えば、−１０V）の何れかの電圧を印加する。
【００４３】
具体的に説明すると、データドライバ５は、図３に示すように、シフトレジスタ回路５０と、データレジスタ回路５１と、データラッチ回路５２と、補正演算部５３と、デジタル電圧／アナログ電圧変換回路（ＤＡＣ）５４と、出力回路５５と、アナログ電圧／デジタル電圧変換回路（ＡＤＣ）５６と、発光効率取得部５７と、メモリ５８とを有している。
【００４４】
シフトレジスタ回路５０は、表示動作時には、サンプリングスタート信号ＳＴＲをシフトクロック信号ＣＬＫに基づいて順次シフトして、シフト信号をデータレジスタ回路５１に供給する。
【００４５】
データレジスタ回路５１は、シフトレジスタ回路５０から供給されるシフト信号に応じたタイミングで、各画素の表示階調を指示する画像データＤ１〜Ｄｍを順次取り込む。なお、画像データは８ビットのデジタル信号であるとする。この場合、有機ＥＬ素子ＯＥＬの発光の階調は２５６階調である。
【００４６】
データラッチ回路５２は、データラッチ信号ＳＴＢが供給されると、データレジスタ回路５１に取り込まれている１行分の画像データＤ１〜Ｄｍをラッチして、保持する。
【００４７】
補正演算部５３は、データラッチ回路５２に保持されている画像データＤ１〜Ｄｍを読み出して、画像データに応じた発光輝度を得るためにデ−タラインＬｄ１〜Ｌｄｍに印加すべき電圧を示す電圧データに変換する。そして、補正演算部５３は、現状の劣化した有機ＥＬ素子ＯＥＬが、所期の輝度で発光できるように、メモリ５８に格納されている発光効率ηを用いて電圧デ−タを補正して、補正電圧データを生成する。補正の内容については、後述する。
【００４８】
ＤＡＣ５４は、補正演算部５３が算出した電圧デ−タをアナログ電圧に変換する。
【００４９】
出力回路５５は、表示動作時には、ＤＡＣ５４から供給されたアナログ電圧を各データラインＬｄ１〜Ｌｄｍに出力する。
一方、出力回路５５は、後述する発光効率取得動作時に、第１列のデータラインＬｄ１〜Ｌｄｍに設定電圧Ｖｄ（例えば、−３Ｖ）又は共通電圧Ｖｃｏｍ（例えば、−１０Ｖ）の何れかの電圧を印加する。
【００５０】
ＡＤＣ５６は、後述する発光効率取得動作時において、有機ＥＬ素子ＯＥＬに所定の電圧が印加されたときに、電流計７が測定した電流をデジタル信号に変換して発光効率取得部５７に供給する。
【００５１】
発光効率取得部５７は、例えば図４（ｂ）に示すような、有機ＥＬ素子ＯＥＬを流れる検出電流Ｉｄの電流値の変化率と発光効率ηとの関係を示すＬＵＴ（ルックアップテーブル）を記憶している。
検出電流Ｉｄの電流値の変化率は、図４（ｃ）に示すような、初期状態の有機ＥＬ素子ＯＥＬに所定の電圧Ｖ０を印加したときに流れる電流を初期電流Ｉ０とし、その後の有機ＥＬ素子ＯＥＬの高抵抗化によって電圧Ｖ０を印加したときに電流計７で測定される電流が検出電流Ｉdであるときの、検出電流Ｉd／初期電流Ｉ０の計算値である。ここで、初期電流Ｉ０は、例えば、表示パネル２の製造後の工場出荷時に初期電流Ｉ０の測定を行って、その電流値を記憶させておくものであってもよいし、表示パネル２の設計値に基づいて予め設定された初期電流Ｉ０の値を記憶させておくものであってもよい。
【００５２】
発光効率ηは、有機ＥＬ素子ＯＥＬに一定の電流を流したときの有機ＥＬ素子ＯＥＬの発光輝度の、初期状態の有機ＥＬ素子ＯＥＬの発光輝度を１としたときの相対値であり、発光効率ηは上記の有機ＥＬ素子ＯＥＬの高抵抗化による検出電流Ｉdの電流値の減少に伴って、図４（ａ）に示すように低下する。したがって、初期状態と同等の発光輝度を得るためには、有機ＥＬ素子ＯＥＬに流す電流の電流値を１／η倍に増加させる必要がある。
【００５３】
発光効率取得部５７は、このＬＵＴを参照して、ＡＤＣ５６から供給された検出電流Ｉdに対応する発光効率ηを取得する。
【００５４】
メモリ５８は、発光効率取得部５７が取得した発光効率ηを記憶している。
【００５５】
システムコントローラ６は、セレクトドライバ３、電源ドライバ４、データドライバ５、カソード回路８に制御信号を供給して、セレクトドライバ３、電源ドライバ４、データドライバ５、カソード回路８を制御することにより、有機ＥＬ表示装置１全体の動作を制御する。
【００５６】
システムコントローラ６が実行する制御内容の詳細は後述する。
【００５７】
電流計７は、一端（電流流入端）が、全画素２１（２１（１，１）〜２１（ｎ，ｍ））の有機ＥＬ素子ＯＥＬのカソード電極に接続されたカソードラインＬｃに接続され、全ての有機ＥＬ素子ＯＥＬに流れる電流を測定する。
【００５８】
カソード回路８は、電流計７の他端（電流流出端）に接続され、スイッチ９を備え、スイッチ９に切り替えに従って、電流計７の他端に基準電圧Ｖｓｓ（例えば、接地電位ＧＮＤ＝０Ｖ）又は共通電圧Ｖｃｏｍ（例えば、−１０Ｖ）を印加する。
【００５９】
＜第１の実施形態＞
上記構成を有する有機ＥＬ表示装置１の第１の実施形態に係わる動作について説明する。
この表示装置の動作は、電源立ち上げ時等の所定のタイミングで実行され、発光効率ηを取得する発光効率取得動作と、取得した発光効率ηを用いた補正を行って画像を表示する表示動作とを含み、例えば、電源立ち上げ時等の所定のタイミングで実行される。
【００６０】
まず、本実施形態に係わる発光効率取得動作について、図５及び図６を参照して説明する。
この発光効率取得動作は、有機ＥＬ素子ＯＥＬの経時劣化による表示の劣化を補償するために使用される発光効率ηを求める動作である。
【００６１】
システムコントローラ６は、例えば電源立ち上げ時のイニシャライズ処理等が終了すると、セレクトドライバ３と、電源ドライバ４と、データドライバ５とカソード回路８とに制御信号を供給し、発光効率取得動作の開始を指示する。
【００６２】
この制御に従って、セレクトドライバ３は、図２（Ａ）〜図２（Ｄ）と同様に、図５（Ａ）〜図５（Ｄ）に示すように、セレクトラインＬｓ１〜Ｌｓｎに、第１測定期間ｔｍの間には高電位のハイレベル電圧Ｖｈｉｇｈ（選択レベル）となり、それ以外の期間には低電位のロウレベル電圧Ｖｌｏｗ（非選択レベル）となる走査信号を順次出力する。ここで、第１測定期間ｔｍは、１行分のｍ個の画素２１（１，１）〜２１（１，ｍ）に対する、後述する電流計７による検出電流（第１検出電流）Ｉｄの測定に要する時間に設定される。
【００６３】
また、電源ドライバ４は、図５（Ｉ）に示すように、全ての電源ラインＬｖ１〜Ｌｖｎに共通電圧Ｖｃｏｍ（例えば、１０Ｖ）を印加する。
【００６４】
データドライバ５は、図５（Ｅ）〜図５（Ｈ）に示すように、第１測定期間ｔｍの間に、データラインＬｄ１〜Ｌｄｍに、電圧印加期間ｔｄの間には、設定電圧Ｖｄ（例えば、−３Ｖ）となり、それ以外の、間隔期間ｔｐを除く期間には共通電圧Ｖｃｏｍ（例えば、−１０Ｖ）となり、間隔期間ｔｐには例えば基準電圧Ｖｓｓとなる電圧を順次出力する。ここで、電圧印加期間ｔｄは、１個の画素２１に対する電流計７による検出電流（第１検出電流）Ｉｄの測定に必要な時間に設定される。
【００６５】
カソード回路８は、スイッチ９を切り替えて、電流計７の他端に、共通電圧Ｖｃｏｍ（例えば、−１０Ｖ）を印加する。
【００６６】
ここで、本実施形態における、画素２１（１，１）の有機ＥＬ素子ＯＥＬの発光効率η（１，１）を取得する発光効率取得動作について、図６を参照して説明する。図６は、第１行第１列の画素２１（１，１）について検出電流Ｉｄを測定するときの状態を示したものである。このとき、セレクトドライバ３は、第１行のセレクトラインＬｓ１にハイレベル電圧Ｖhighを印加し、他のセレクトラインＬｓ２〜Ｌｓｎにロウレベル電圧Ｖlowを印加する。そして、データドライバ５は、第１列のデータラインＬｄ１に設定電圧Ｖｄとして−３Ｖを印加し、他のデータラインＬｄ２〜Ｌｄｍに共通電圧Ｖｃｏｍとして−１０Ｖを印加する。これにより、図６に示すように、第１行第１列の画素２１（１，１）のトランジスタＴ２２がオンし、第１列のデータラインＬｄ１に−３Ｖが印加され、カソード回路８に−１０Ｖが印加されるため、有機ＥＬ素子ＯＥＬのアノード・カソード間にほぼ７Ｖの電圧（検査電圧）が印加され、トランジスタＴ２２と有機ＥＬ素子ＯＥＬの直列回路に検出電流Ｉｄが流れる。
【００６７】
一方、第１行の第２列から第ｍ列の画素２１については、トランジスタＴ２２はオンするが、データラインＬｄ２〜Ｌｄｍに印加されている電圧が共通電圧Ｖｃｏｍ（−１０Ｖ）で、カソード回路８に印加されている電圧と同電位のため、電流は流れない。なお、データ電圧と電流計７の他端とが共通電圧Ｖｃｏｍに設定されて、同電位に設定されるとしたが、同電位であることに限るものではない。要するに、トランジスタＴ２２から有機ＥＬ素子ＯＥＬを介して電流が流れなければよいので、データ電圧と電流計７の他端との間の電位差が少なくとも有機ＥＬ素子ＯＥＬに電流が流れ始める閾値電圧より小さければよい。以下の各実施形態においても同様である。
【００６８】
また、各画素のトランジスタＴ２１はオンするが、トランジスタＴ２３は、ソースとドレインの電圧が共に共通電圧Ｖｃｏｍ（−１０Ｖ）で同電位であるため、電流は流れない。なお、電源ラインＬｖ１〜Ｌｖｎと電流計７の他端とに共通電圧Ｖｃｏｍが印加されて同電位に設定されるとしたが、同電位であることに限るものではない。要するに、トランジスタＴ２３から有機ＥＬ素子ＯＥＬを介して電流が流れなければよいので、電源ラインＬｖ１〜Ｌｖｎと電流計７の他端との間の電位差が少なくとも有機ＥＬ素子ＯＥＬに電流が流れ始める閾値電圧より小さければよい。以下の各実施形態においても同様である。
【００６９】
さらに、第２行〜第ｎ行の画素２１に関しては、トランジスタＴ２１，Ｔ２２、Ｔ２３が全てオフとなる。このため、有機ＥＬ素子ＯＥＬに電流は流れない。
【００７０】
すなわち、電流計７を流れる検出電流Ｉｄは、第１行第１列の画素２１（１，１）のトランジスタＴ２２と有機ＥＬ素子ＯＥＬの直列回路に流れる電流だけである。
【００７１】
この検出電流Ｉｄは電流計７により測定され、測定値がＡＤＣ５６に供給される。
【００７２】
ＡＤＣ５６は、これをデジタルデータに変換し、発光効率取得部５７に供給する。
【００７３】
発光効率取得部５７は、供給された検出電流Ｉｄの初期電流Ｉ０に対する電流値の変化率を算出し、この変化率の値でルックアップテーブルを引き、対応する発光効率ηを取得する。
【００７４】
この例の場合、ルックアップテーブルには、初期状態の有機ＥＬ素子ＯＥＬとトランジスタＴ２２との直列回路に７Ｖの電圧を印加したときに流れる電流を初期電流Ｉ０として、発光効率取得部５７に記憶されている。
【００７５】
取得された画素２１（１，１）の有機ＥＬ素子ＯＥＬについての発光効率η（１，１）は、当該画素２１（１，１）に対応してメモリ５８に格納される。
【００７６】
本実施形態の有機ＥＬ表示装置１は、１つの画素２１（１，１）に対する以上の動作を表示パネル２の全ての画素２１（ｉ，ｊ）（ｉ＝１〜ｎ，ｊ＝１〜ｍ）に対して実行して、全ての画素２１（１，１）〜２１（ｎ，ｍ）の有機ＥＬ素子ＯＥＬについて発光効率η（１，１）〜η（ｎ，ｍ）を取得し、画素２１（１，１）〜２１（ｎ，ｍ）に対応して発光効率η（１，１）〜η（ｎ，ｍ）がメモリ５８に格納される。
【００７７】
すなわち、まず、図５（Ａ）に示すように、セレクトドライバ３が、第１行のセレクトラインＬｓ１に高電圧Ｖhighを印加し、他のセレクトラインＬｓ２〜Ｌｓｎに低電圧Ｖlowを印加した状態で、図５（Ｅ）〜図５（Ｈ）に示すように、データラインＬｄ１〜Ｌｄｍに、電圧印加期間ｔｄ毎に、設定電圧Ｖｄ（−３Ｖ）を順次印加する。これにより、上記一つの画素２１に対する発光効率取得動作と同様にして、第１行のｍ個の画素２１（１，１）〜２１（１，ｍ）の有機ＥＬ素子ＯＥＬについての発光効率η（１，１）〜η（１，ｍ）を取得し、画素２１（１，１）〜２１（１，ｍ）に対応して発光効率η（１，１）〜η（１，ｍ）がメモリ５８に格納される。
【００７８】
次いで、図５（Ｂ）に示すように、セレクトドライバ３が、第２行のセレクトラインＬｓ２に高電圧Ｖhighを印加し、他のセレクトラインＬｓ１、Ｌｓ３〜Ｌｓｎに低電圧Ｖlowを印加した状態で、図５（Ｅ）〜図５（Ｈ）に示すように、データラインＬｄ１〜Ｌｄｍに、電圧印加期間ｔｄ毎に、設定電圧Ｖｄ（−３Ｖ）を順次印加する。これにより、第２行のｍ個の各画素２１（２，１）〜２１（２，ｍ）の有機ＥＬ素子ＯＥＬについての発光効率η（２，１）〜η（２，ｍ）を取得し、各画素２１（２，１）〜２１（２，ｍ）に対応して発光効率η（２，１）〜η（２，ｍ）がメモリ５８に格納される。
【００７９】
以下、第ｎ行まで同様の動作を繰り返すことにより、全ての画素２１（１，１）〜２１（ｎ，ｍ）の有機ＥＬ素子ＯＥＬについての発光効率ηを取得して、各画素２１（１，１）〜２１（ｎ，ｍ）に対応して発光効率η（１，１）〜η（ｎ，ｍ）がメモリ５８に格納される。メモリ５８に全ての画素２１（１，１）〜２１（ｎ，ｍ）の発光効率η（１，１）〜η（ｎ，ｍ）が格納されると、システムコントローラ６は、発光効率取得動作を終了する。
【００８０】
次いで、取得した発光効率η（１，１）〜η（ｎ，ｍ）を用いた補正を行って画像を表示する表示動作について説明する。
【００８１】
ここで、発光効率ηと電圧データの補正量との関係について説明すると、有機ＥＬ表示装置１のある画素２１の有機ＥＬ素子ＯＥＬの発光効率がηであるとき、有機ＥＬ素子ＯＥＬを初期状態と同等の発光輝度で発光させるには、１／η倍の電流を有機ＥＬ素子ＯＥＬに印加する必要がある。そのために画素２１に印加する電圧を１／η倍に補正する必要がある。
【００８２】
システムコントローラ６は、表示動作を開始する際、カソード回路８のスイッチ９を切り替えて、電流計７の他端に基準電圧Ｖｓｓを印加する。
【００８３】
続いて、システムコントローラ６は、図示せぬ垂直同期信号等に応答して、セレクトドライバ３に、図２（Ａ）〜（Ｄ）に示すように、走査信号を出力させ、電源ドライバ４に図２（Ｅ）〜（Ｈ）に示すように、電圧信号を出力させる。
【００８４】
また、システムコントローラ６は、データドライバ５に表示動作を実行させるための制御信号を出力する。
【００８５】
この制御信号に応答して、シフトレジスタ回路５０は、シフト信号をデータレジスタ回路５１に供給する。
【００８６】
データレジスタ回路５１は、シフトレジスタ回路５０から供給されるシフト信号に応答して、画像データＤ１〜Ｄｍを順次取り込んでシフトし、１行分のデータが格納されると、データラッチ回路５２が、これをラッチして保持する。
【００８７】
補正演算部５３は、データラッチ回路５２に保持されている画像データＤ１〜Ｄｍを読み出して、画像データに対応した電圧データを、画像データに応じた発光輝度を得るためにデ−タラインＬｄ１〜Ｌｄｍに印加すべき電圧値を有する補正電圧データに補正する。電圧データは、基本的に、有機ＥＬ素子ＯＥＬの初期特性に基づいて定められている。
【００８８】
補正演算部５３は、現状の劣化した有機ＥＬ素子ＯＥＬが初期状態時と同等の輝度で発光できるように、各電圧データに、例えば、メモリ５８に格納されている画素２１（１，１）〜２１（１，ｍ）に対応した発光効率η（１，１）〜η（１，ｍ）の逆数である１／η（１，ｊ）（ｊ＝１〜ｍ）を乗算して、電圧デ−タを補正する。
【００８９】
より詳細に説明すると、発光効率ηは、経時劣化などの原因により、一定の電流値の電流を有機ＥＬ素子ＯＥＬに流したときの、有機ＥＬ素子ＯＥＬの発光輝度の初期状態に対する低下率を示している。したがって、初期状態時と同等の発光輝度を得るためには、有機ＥＬ素子ＯＥＬに流す電流の電流値を初期状態での電流値の１／η倍にすればよい。このために、画素２１に対する印加電圧を（１／η）倍すれば、有機ＥＬ素子ＯＥＬを流れる電流を（１／η）倍することができる。
【００９０】
補正演算部５３は、メモリ５８から発光効率η（１，ｊ）（ｊ＝１〜ｍ）を読み出し、電圧データに１／η（１，ｊ）（ｊ＝１〜ｍ）を乗算して、電圧データを補正した補正電圧データＶｄａｔａを生成して出力する。
【００９１】
ＤＡＣ５４は、例えば、補正演算部５３が出力した補正電圧デ−タＶｄａｔａをアナログ電圧（負の階調電圧：−Ｖｄａｔａ）に変換し、出力回路５５は、アナログ電圧−Ｖｄａｔａを各データラインＬｄ１〜Ｌｄｍに出力して、画素２１（１，１）〜２１（１，ｍ）に印加する。
【００９２】
これにより、画素２１（１，１）〜２１（１，ｍ）に、補正しない場合と比較して、それぞれ対応した発光効率η（１，１）〜η（１，ｍ）の逆数である１／η（１，ｊ）（ｊ＝１〜ｍ）を乗算した補正電圧データに対応した電圧（−Ｖｄａｔａ）が印加され、これに対応する電圧がコンデンサＣ１に保持される。これにより、画素２１（１，１）〜２１（１，ｍ）の有機ＥＬ素子ＯＥＬに、それぞれ対応してほぼ１／η（１，ｊ）（ｊ＝１〜ｍ）倍の電流が流れ、画素２１（１，１）〜２１（１，ｍ）について初期状態時と同等の発光輝度での表示がなされる。
【００９３】
次に、セレクトドライバ３が、第２行のセレクトラインＬｓ２を選択し、データレジスタ回路５１は画像データＤ１〜Ｄｍを順次取り込んでシフトし、１行分のデータが格納されると、データラッチ回路５２が、これをラッチして保持する。続いて、補正演算部５３は、メモリ５８に格納されている画素２１（２，１）〜２１（２，ｍ）に対応した発光効率η（２，１）〜η（２，ｍ）の逆数である１／η（２，ｊ）（ｊ＝１〜ｍ）を乗算して、電圧デ−タを補正する。ＤＡＣ５４は、例えば、補正演算部５３が出力した補正電圧デ−タをアナログ電圧に変換し、出力回路５５は、アナログ電圧を各データラインＬｄ１〜Ｌｄｍに出力して、画素２１（２，１）〜２１（２，ｍ）に印加する。これにより、画素２１（２，１）〜２１（２，ｍ）について初期状態時と同等の発光輝度での表示がなされる。
以下、第ｎ行まで同様の動作を繰り返すことにより、全ての行で補正電圧デ−タに対応する電圧を各データラインＬｄ１〜Ｌｄｍに出力し、よって、全ての画素２１（１，１）〜２１（ｎ，ｍ）について初期状態時と同等の発光輝度での表示がなされる。
【００９４】
以上説明したように、本実施の形態によれば、発光効率取得動作により、所定電圧Ｖ０を印加したときに、有機ＥＬ素子ＯＥＬに流れる電流Ｉｄを、有機ＥＬ素子ＯＥＬが初期特性を有しているときに流れる初期電流Ｉ０から変化率Ｉｄ／Ｉ０を求め、この変化率の値でルックアップテーブルを引いて発光効率ηを求めておき、表示動作時に、電圧データに１／η（ｉ，ｊ）（ｉ＝１〜ｎ，ｊ＝１〜ｍ）を乗算して補正し、補正後の補正電圧データに対応する電圧を画素２１（１，１）〜２１（ｎ，ｍ）に印加することにより、経時劣化が起こったとしても、同一の画像データに対して、有機ＥＬ素子に、経時劣化が発生した後でも初期状態とほぼ同一の電流が流れる。従って、同一の画像データに対して、経時劣化に関わらず、初期状態時と同等の表示（発光）を行うことができる。
【００９５】
＜第２の実施形態＞
第１実施形態においては、表示パネル２の全ての画素２１（１，１）に対して発光効率ηを抽出する形態とした。しかしながら、大型パネルや高精細パネルのように画素数が増大すると、発光効率取得動作に要する時間が画素数に応じて増加してしまう。これに対し、以下に説明する第２の実施形態は、行毎のｍ個の画素２１から１個の画素２１当たりの発光効率ηを求めるようにしたものである。表示パネル２において、通常、使用時間が経過するにつれて、各画素２１（１，１）〜２１（ｎ，ｍ）の発光時間は一様でなくなるため、各画素２１（１，１）〜２１（ｎ，ｍ）の経時劣化の程度も一様ではないが、少なくとも１行のｍ個の画素２１の中では極端な差は生じないものと考えられる。このことから、本実施形態は、１行分の複数の画素から得られる平均値として、１個の画素２１の発光効率ηｎを求め、これを用いて電圧データを補正するようにしたものである。なお、発光効率ηｎは第ｎ行のｍ個の画素２１（ｎ，１）〜２１（ｎ，ｍ）から得られる発光効率の平均値である。
【００９６】
なお、本実施形態に係る有機ＥＬ表示装置の基本構成と基本動作は、第１の実施形態の有機ＥＬ表示装置１の構成と同一である。従って、以下では、差異点を中心に説明する。
【００９７】
本実施形態に係わる発光効率取得動作について、図７及び図８を参照して説明する。
【００９８】
本実施形態の発光効率取得動作において、セレクトドライバ３は、図２（Ａ）〜図２（Ｄ）と同様に、図７（Ａ）〜図７（Ｄ）に示すように、セレクトラインＬｓ１〜Ｌｓｎに、第２測定期間ｔｎの間には高電位のハイレベル電圧Ｖｈｉｇｈ（選択レベル）となり、それ以外の期間には低電位のロウレベル電圧Ｖｌｏｗ（非選択レベル）となる走査信号を順次出力する。ここで、第２測定期間ｔｎは、１行分のｍ個の画素２１に流れる電流の総和となる第１総検出電流Ｉｄｔａの電流計７による測定に要する時間に設定され、例えば、上記第１の実施形態における電圧印加期間ｔｄと同等の時間に設定される。
【００９９】
データドライバ５は、セレクトドライバ３による上記第２測定期間ｔｎに同期したタイミングで、全てのデータラインＬｄ１〜Ｌｄｍに同一電位の設定電圧Ｖｄ（例えば、−３Ｖ）を印加する。
【０１００】
電源ドライバ４は、図７（Ｉ）に示すように、全ての電源ラインＬｖ１〜Ｌｖｎに共通圧Ｖｃｏｍ（例えば、１０Ｖ）を印加する。
【０１０１】
カソード回路８は、スイッチ９を切り替えて、電流計７の他端に、共通電圧Ｖｃｏｍ（例えば、−１０Ｖ）を印加する。
【０１０２】
カソード回路８の電流計７は、全てのデータラインに設定電圧Ｖｄ（−３Ｖ）を印加したときに、第１行のｍ個の画素２１（１，１）〜２１（１，ｍ）の各々に流れる電流の総和となる第１総検出電流Ｉｄｔａを測定する。発光効率取得部５７は、ｍ個の画素２１の各々に流れる電流の電流値の平均値として、第１総検出電流Ｉｄｔａの電流値の１／ｍを、検出電流Ｉｄとして取得する。そして、検出電流Ｉｄの、有機ＥＬ素子ＯＥＬが初期特性を有するときに流れる初期電流Ｉ０に対する比率である、検出電流Ｉｄの変化率に対する発光効率ηの値をルックアップテーブルに記憶している。
【０１０３】
ここで、本実施形態における、１行のｍ個の画素２１から、１個の画素２１に対する平均値として、発光効率η１を取得する発光効率取得動作について、図８を参照して説明する。図８は、第１行の画素２１（１，１）〜２１（１，ｍ）に対する第１総検出電流Ｉｄｔａを測定するときの状態を示したものである。このとき、セレクトドライバ３は、第１行のセレクトラインＬｓ１にハイレベル電圧Ｖhighを印加し、他のセレクトラインＬｓ２〜Ｌｓｎにロウレベル電圧Ｖlowを印加する。
【０１０４】
また、電源ドライバ４は、全ての電源ラインＬｖ１〜Ｌｖｎに共通電圧Ｖｃｏｍとして−１０Ｖを印加する。
【０１０５】
データドライバ５は、全てのデータラインＬｄ１〜Ｌｄｍに設定電圧Ｖｄとして−３Ｖを印加する。
【０１０６】
さらに、カソード回路８は、スイッチ９を切り替えて、電流計７の他端に、共通電圧Ｖｃｏｍとして−１０Ｖを印加する。
【０１０７】
すると、図８に示すように、第１行の画素２１（１，１）〜２１（１，ｍ）のトランジスタＴ２２がオンし、データラインＬｄ１〜Ｌｄｍに−３Ｖが印加され、カソード回路８に−１０Ｖが印加されるため、第１行の画素の有機ＥＬ素子ＯＥＬのアノード・カソード間にほぼ７Ｖの電圧（検査電圧）が印加され、各画素２１のトランジスタＴ２２と有機ＥＬ素子ＯＥＬの直列回路に電流Ｉｄが流れる。
【０１０８】
一方、他の行の画素に関しては、トランジスタＴ２１，Ｔ２２、Ｔ２３が全てオフとなる。このため、電流は流れない。
【０１０９】
これにより、電流計７を流れる電流は、第１行にあるｍ個の画素２１（１，１）〜２１（１，ｍ）の各々を流れる電流Ｉｄの総和からなる第１総検出電流Ｉｄｔａとなる。
【０１１０】
この第１総検出電流Ｉｄｔａは電流計７により測定され、測定値がＡＤＣ５６に供給される。
【０１１１】
ＡＤＣ５６は、これをデジタルデータに変換し、発光効率取得部５７に供給する。
【０１１２】
発光効率取得部５７は、第１総検出電流Ｉｄｔａの電流値の１／ｍを、１個の画素２１に対する検出電流Ｉｄとして取得する。そして、取得した検出電流Ｉｄの初期電流Ｉ０に対する電流値の変化率でルックアップテーブルを引き、対応する発光効率η１を取得する。
【０１１３】
取得された発光効率η１は、メモリ５８に格納される。
【０１１４】
表示動作時には、メモリ５８に格納された発光効率η１を用いて画素２１（１，１）〜２１（１，ｍ）の電圧データを補正する。
【０１１５】
補正演算部５３は、データラッチ回路５２に保持されている画像データＤ１〜Ｄｍを読み出して、画像データに対応した電圧データを、画像データに応じた発光輝度を得るためにデ−タラインＬｄ１〜Ｌｄｍに印加すべき電圧値を有する補正電圧データに補正する。電圧データは、基本的に、有機ＥＬ素子ＯＥＬの初期特性に基づいて定められている。
【０１１６】
補正演算部５３は、現状の劣化した有機ＥＬ素子ＯＥＬが初期状態時と同等の輝度で発光できるように、各電圧データに、メモリ５８に格納されている発光効率η１の逆数（１／η１）を乗算して、電圧デ−タを補正する。
【０１１７】
ＤＡＣ５４は、例えば、補正演算部５３が出力した補正電圧デ−タをアナログ電圧に変換し、出力回路５５は、アナログ電圧を各データラインＬｄ１〜Ｌｄｍに出力する。
【０１１８】
これにより、実施形態１と同様に、画素２１（１，１）〜２１（１，ｍ）には、補正しない場合と比較して（１／η１）倍に補正されたデータ電圧が印加され、これに伴い、ほぼ（１／η１）倍の電流が画素２１（１，１）〜２１（１，ｍ）に流れ、初期状態時と同等の発光輝度での表示（発光）が可能となる。
【０１１９】
本実施形態の有機ＥＬ表示装置１は、以上の１行のｍ個の画素２１に対する動作を表示パネル２の全ての行に対して順次実行する。つまり、行毎の画素２１の有機ＥＬ素子ＯＥＬについての発光効率η１〜ηｎを取得して、各行に対応して発光効率η１〜ηｎをメモリ５８に格納し、補正演算部５３は、画像データＤ１〜Ｄｍを読み出して、画像データに対応した電圧データを、画像データに応じた発光輝度を得るためにデ−タラインＬｄ１〜Ｌｄｍに印加すべき電圧値に、各行に対応した発光効率ηｉ（ｉ＝１〜ｎ）の逆数である１／ηｉ（ｉ＝１〜ｎ）を乗算して補正電圧データに補正して、全ての行で補正電圧デ−タに対応する電圧を各データラインＬｄ１〜Ｌｄｍに出力する。
【０１２０】
これにより、全ての画素２１（１，１）〜２１（ｎ，ｍ）について初期状態時と同等の発光輝度での表示がなされる。
【０１２１】
また、本実施形態において発光効率取得動作に要する時間は、１行の画素２１の数をｍとして、概ね、上記第１の実施形態において発光効率取得動作に要する時間の１／ｍ程度になり、第１の実施形態に対して、発光効率取得動作に要する時間を短縮することができる。
【０１２２】
＜第３の実施形態＞
上記第２の実施形態では各行のｍ個の画素２１（ｉ，１）〜２１（ｉ，ｍ）から１個の画素２１に対する発光効率ηを求める構成とした。
【０１２３】
これに対し、以下に説明する第３の実施形態は、表示パネル２の画素２１が配列された表示領域を縦横に複数の領域に分割して、各領域に含まれる複数の画素から１個の画素２１に対する発光効率ηを求めるようにしたものである。すなわち、表示パネル２において、各画素２１の経時劣化の程度は画面内で一様ではないが、例えば表示領域の中央付近に図形を表示するような場合を想定すると、表示領域を縦横に複数に分割した各領域の中では、各画素２１の発光時間の差は比較的少ないものと考えられ、このような場合には、各領域中の各画素２１の経時劣化の程度も比較的揃っているものと考えられる。本実施形態は、このことから、本実施形態は、表示パネル２の表示領域を複数の領域に分割し、各領域に含まれる複数の画素から１個の画素２１に対する発光効率ηを求めるようにしたものである。
【０１２４】
本実施形態に係わる発光効率取得動作について、図９及び図１０を参照して説明する。
【０１２５】
図９に示すように、表示パネル２を、例えば９個の領域Ｐ１〜Ｐ９に分割する。すなわち、セレクトラインＬｓ１〜Ｌｓｎを、所定の複数本毎の、Ｌｓ１〜Ｌｓａ、Ｌｓａ＋１〜Ｌｓｂ、Ｌｓｂ＋１〜Ｌｓｎの３つのグループに分け、データラインＬｄ１〜Ｌｄｍを、Ｌｄ１〜Ｌｄｃ、Ｌｄｃ＋１〜Ｌｄｄ、Ｌｄｄ＋１〜Ｌｄｍの３つのグループに分ける。
【０１２６】
発光効率取得動作時において、セレクトドライバ３は、図１０（Ａ）〜図１０（Ｃ）に示すように、各グループの複数のセレクトラインＬｓ１〜Ｌｓａ、Ｌｓａ＋１〜Ｌｓｂ、Ｌｓｂ＋１〜Ｌｓｎ毎に、第３測定期間ｔｑの間にはハイレベル電圧Ｖｈｉｇｈ（選択レベル）となり、それ以外の期間にはロウレベル電圧Ｖｌｏｗ（非選択レベル）となる走査信号を順次出力する。ここで、第３測定期間ｔｑは、表示パネル２の行方向に並んだ、例えば３つの、複数の領域の各々に対する第２総検出電流Ｉｄｔａの電流計７による測定に要する時間に設定される。
【０１２７】
データドライバ５は、図１０（Ｄ）〜図１０（Ｆ）に示すように、第３測定期間ｔｑの間に、データラインＬｄ１〜Ｌｄｃ、Ｌｄｃ＋１〜Ｌｄｄ、Ｌｄｄ＋１〜Ｌｄｍの各々に、第２電圧印加期間ｔｅの間には、設定電圧Ｖｄ（例えば、−３Ｖ）となり、それ以外の、間隔期間ｔｐを除く期間には共通電圧Ｖｃｏｍ（例えば、−１０Ｖ）となり、間隔期間ｔｐには例えば基準電圧Ｖｓｓとなる電圧を順次出力する。ここで、第２電圧印加期間ｔｅは、表示パネル２の１つの領域に含まれる複数の画素２１に流れる電流の総和となる第２総検出電流Ｉｄｔｂの電流計７による測定に要する時間に設定され、例えば、上記第１の実施形態における電圧印加期間ｔｄと同等の時間に設定される。
【０１２８】
電源ドライバ４は、図１０（Ｇ）に示すように、全ての電源ラインＬｖ１〜Ｌｖｎに共通圧Ｖｃｏｍ（例えば、１０Ｖ）を印加する。
【０１２９】
カソード回路８は、スイッチ９を切り替えて、電流計７の他端に、共通電圧Ｖｃｏｍ（例えば、−１０Ｖ）を印加する。
【０１３０】
これにより、例えば、セレクトドライバ３よりセレクトラインＬｓ１〜Ｌｓａにハイレベル電圧Ｖｈｉｇｈの走査信号が同時に出力され、データドライバ５よりデータラインＬｄ１〜Ｌｄｃに設定電圧Ｖｄ（−３Ｖ）が同時に出力されたとき、第１行〜第ａ行、第１列〜第ｃ列にある領域Ｐ１に含まれるａ×ｃ個の画素２１（１，１）〜２１（ａ，ｃ）のトランジスタＴ２２がオンし、データラインＬｄ１〜Ｌｄａに−３Ｖが印加され、カソード回路８に−１０Ｖが印加されていることから、これらの画素の各々のトランジスタＴ２２と有機ＥＬ素子ＯＥＬの直列回路に電流Ｉｄが流れる。一方、他の画素には電流が流れない。
【０１３１】
これにより、電流計７を流れる電流は、第１行〜第ａ行、第１列〜第ｃ列にある領域Ｐ１に含まれるａ×ｃ個の画素２１（１，１）〜２１（ａ，ｃ）の各々のトランジスタＴ２２と有機ＥＬ素子ＯＥＬに流れる電流Ｉｄの総和からなる第２総検出電流Ｉｄｔｂとなる。
【０１３２】
ＡＤＣ５６は、電流計７によって測定された第２総検出電流Ｉｄｔｂの電流値をデジタルデータに変換し、発光効率取得部５７に供給する。
【０１３３】
発光効率取得部５７は、第２総検出電流Ｉｄｔｂの電流値の１／（ａ×ｃ）を、１個の画素２１に対する検出電流Ｉｄとして取得する。そして、取得した検出電流Ｉｄの初期電流Ｉ０に対する電流値の変化率を算出し、この変化率の値でルックアップテーブルを引き、対応する発光効率ηを取得する。
【０１３４】
取得された発光効率ηは、メモリ５８に格納される。
本実施形態の有機ＥＬ表示装置１は、以上の１つの領域に含まれる画素２１に対する動作を表示パネル２の全ての領域に対して順次実行し、領域毎の画素２１の有機ＥＬ素子ＯＥＬについての発光効率ηを取得して、各領域に対応してメモリ５８に格納する。
【０１３５】
表示動作時には、メモリ５８に格納された各領域に対応した発光効率ηを用いて各画素の電圧データを補正する。
補正演算部５３は、データラッチ回路５２に保持されている画像データＤ１〜Ｄｍを読み出して、画像データに対応した電圧データを、画像データに応じた発光輝度を得るためにデ−タラインＬｄ１〜Ｌｄｍに印加すべき電圧値を有する補正電圧データに補正する。
補正演算部５３は、現状の劣化した有機ＥＬ素子ＯＥＬが初期状態時と同等の輝度で発光できるように、各電圧データに、メモリ５８に格納されている各領域に対応した発光効率ηの逆数（１／η）を乗算して、電圧デ−タを補正して、全ての行で補正電圧デ−タに対応する電圧を各データラインＬｄ１〜Ｌｄｍに出力する。
【０１３６】
本実施形態において発光効率取得動作に要する時間は、１つの領域に含まれる画素２１の数をｐとして、概ね、上記第１の実施形態において発光効率取得動作に要する時間の１／ｐ程度になり、発光効率取得動作に要する時間を、第１の実施形態に対して短縮することができる。
【０１３７】
本実施形態における、セレクトドライバ３よりグループ毎のセレクトラインＬｓ１〜Ｌｓａ、Ｌｓａ＋１〜Ｌｓｂ、Ｌｓｂ＋１〜Ｌｓｎに同時にハイレベル電圧Ｖhighの走査信号を出力する手法は任意であるが、例えば、以下の手法をもちいれば、既存のセレクトドライバ３の構成を変更することなく、制御が可能である。
【０１３８】
セレクトドライバ３は、図１１（ａ）に示すようにシフトレジスタ回路を有して構成され、シフトレジスタ回路には一定周期のクロックパルスＣＬＫとスタートパルスＳｔａｒｔとが供給され、供給されたスタートパルスＳｔａｒｔを取り込み、クロックパルスＣＬＫの周期で順次シフトして出力する。ここで、シフトレジスタ回路から出力される出力信号の時間幅はスタートパルスＳｔａｒｔの時間幅となる。
【０１３９】
表示動作時には、シフトレジスタ回路５０の入力端には、クロックパルスＣＬＫの周期は各行の選択期間に対応する時間に設定され、スタートパルスＳｔａｒｔの時間幅はクロックパルスＣＬＫの１周期に対応する時間幅に設定される。
【０１４０】
これにより、図２（Ａ）〜（Ｄ）に示すような走査信号が出力される。
【０１４１】
一方、本実施形態の発光効率取得動作時において、クロックパルスＣＬＫの周期を第３測定期間ｔｑに設定する。そして、セレクトラインの１つのグループの本数が例えば１０本であるとき、図１１（ｂ）に示すように、スタートパルスＳｔａｒｔの時間幅をクロックパルスＣＬＫの１０周期分の時間幅に設定する。
【０１４２】
シフトレジスタ回路は、スタートパルスＳｔａｒｔを取り込み、クロックパルスＣＬＫに応じて順次シフトしながら出力する。
【０１４３】
このとき、シフトレジスタ回路の出力信号の時間幅は、スタートパルスＳｔａｒｔの時間幅に応じたクロックパルスＣＬＫの１０周期分の時間幅となっているため、図１１（ｂ）に示すように、シフトレジスタ回路の各出力信号は互いに重複したタイミングを有して出力され、スタートパルスＳｔａｒｔの供給開始タイミングをＴ０としたとき、クロックパルスＣＬＫの１０クロック目のＴ９〜Ｔ１０の期間で、セレクトラインＬｓ１〜Ｌｓ１０に出力する走査信号が共にハイレベル電圧Ｖhighとなる。このＴ９〜Ｔ１０の期間を上記図１０（Ａ）〜図１０（Ｃ）における第３測定期間ｔｑとして用いることで、本実施形態を実行することができる。
【０１４４】
＜第４の実施形態＞
上記１〜３の実施形態においては、表示パネル２の１画素ごと、１行ごと、あるいは所定の領域ごとに、１画素の発光効率ηを取得して、１画素ごと、１行ごと、あるいは所定の領域ごとに異なる発光効率ηを用いる構成とした。
これに対し、第４の実施形態は、表示パネル２の特定の画素、特定の行、特定の領域において取得した発光効率ηを当該表示パネル２の全ての画素に共通に用いるようにしたものである。
【０１４５】
例えば、第１の実施形態の手法を用いて、表示パネル２の何れか１つの特定の画素、例えば画素２１（１，１）について発光効率ηを求め、これをメモリ５８に格納する。
【０１４６】
そして、表示動作時には、補正演算部５３は、メモリ５８に格納された発光効率ηを用いて、各電圧データに、メモリ５８に格納されている発光効率ηの逆数（１／η）を乗算して、全画素の電圧データを補正して、全ての行で補正電圧デ−タに対応する電圧を各データラインＬｄ１〜Ｌｄｍに出力する。
【０１４７】
同様に、第２の実施形態の手法を用いて、表示パネル２の何れかの１つの行、例えば第１行のｍ個の画素２１（１，１）〜２１（１，ｍ）における、１個の画素２１についての発光効率ηを求め、これをメモリ５８に格納する。
【０１４８】
そして、表示動作時には、補正演算部５３は、メモリ５８に格納された発光効率ηを用いて、各電圧データに、メモリ５８に格納されている発光効率ηの逆数（１／η）を乗算して、全画素の電圧データを補正して、全ての行で補正電圧デ−タに対応する電圧を各データラインＬｄ１〜Ｌｄｍに出力する。
【０１４９】
また、第３の実施形態の手法を用いて、表示パネル２の分割した複数の領域における何れかの領域、例えば領域Ｐ１の複数の画素２１における、１個の画素２１についての発光効率ηを求め、これをメモリ５８に格納する。
【０１５０】
そして、表示動作時には、補正演算部５３は、メモリ５８に格納された発光効率ηを用いて、各電圧データに、メモリ５８に格納されている発光効率ηの逆数（１／η）を乗算して、全画素の電圧データを補正して、全ての行で補正電圧デ−タに対応する電圧を各データラインＬｄ１〜Ｌｄｍに出力する。
【０１５１】
以上のように、本実施形態においては、表示パネル２の特定の画素、特定の行、特定の領域において取得した発光効率ηを当該表示パネル２の全ての画素に共通に用いるようにしたことにより、有機ＥＬ素子ＯＥＬが初期状態時と同等の輝度で発光できるようにするための電圧データの補正の精度が低下する可能性はあるが、発光効率取得動作に要する時間を、第１〜第３の実施形態に対して大幅に短縮することができる。
【０１５２】
（変形例）
上記実施の形態で示した、各種電圧は、例示であり、表示動作時には、選択された画素への書き込み動作と非選択行の画素の発光動作を適切に行うことができ、発光効率取得動作時には、有機ＥＬ素子流れる電流を測定できるならば、その電圧関係は任意である。
【０１５３】
例えば、表示動作時には、（１）選択対象の行の画素２１のトランジスタＴ２１とＴ２２をオンさせ、非選択行の画素２１のトランジスタＴ２１とＴ２２をオフさせるようなハイレベル電圧Ｖhighとロウレベル電圧ＶlowをセレクトラインＬｓに印加し、（２）選択対象の行の画素２１のトランジスタＴ２３をオンさせ、非選択行の画素２１のトランジスタＴ２３をオフさせるような電圧ＶccとＶssを電源ラインＬｖに印加し、（３）有機ＥＬ素子ＯＥＬのカソードにスイッチ９及び電流計７を介して所定の電圧を印加し、（４）各データラインＬｄに印加する電圧を、所定電圧以上の階調に対応する電圧とし、発光効率取得時に、（１）電流を流す予定の単数又は複数の画素が位置する行の画素２１のトランジスタＴ２２をオンさせ、他の行の画素２１のトランジスタＴ２２をオフさせ、（２）全ての画素のトランジスタＴ２１のトランジスタＴ２３に電流が流れず（例えば、電源ラインＬｖの電圧とスイッチ９を介して電流計７の他端に印加される電圧が等しく）、（３）電流を流す予定の単数又は複数の画素が位置する列のデータラインＬｄに印加する電圧が電流計７の他端に印加される電圧よりも高く、他の列のデータラインＬｄに印加する電圧と電流計７の他端に印加される電圧と等しい、という条件が成立するならば、その電圧関係は任意である。
【０１５４】
例えば、図１２（ａ）、図１２（ｂ）に示すように、回路内の各電圧を正電圧で構成することも可能である。
図示するように、
（表示動作時）
i）セレクトラインＬｓに印加する電圧をＶhigh＝２５Ｖ、Ｖlow＝０Ｖ（ＧＮＤ）に設定し、
ii）電源ラインＬｖに印加する電圧Ｖｃｃを＋２５Ｖ，基準電圧Ｖｓｓを＋１０Ｖに設定し、
iii）データラインＬｄに印加する電圧を＋１０Ｖ〜接地電圧の間の階調に応じた電圧に設定する。
（発光効率取得時）
i）電流を流す予定の単数又は複数の画素が位置する行のセレクトラインＬｓに印加する電圧をＶhigh＝２５Ｖ、他の行の画素２１が位置する行のセレクトラインに印加する電圧をＶlow＝０Ｖ（ＧＮＤ）に設定し、
ii）全ての電源ラインＬｖに印加する電圧を０Ｖ（接地電位）に設定し、
iii）スイッチ９と電流計７を介して有機ＥＬ素子ＯＥＬのカソードに印加する電圧を０Ｖとし、
iv）電流を流す予定の単数又は複数の画素が位置する列のデータラインＬｄに印加する電圧を０Ｖより大きい電圧に設定する。
【０１５５】
このような複数の電圧は、例えば、＋１５ＶのＤＣ電源と＋１０ＶのＤＣ電源を、図１２（ｃ）に示すように接続することにより、生成可能である。
【０１５６】
尚、本発明を実施するにあたっては、種々の形態が考えられ、上記実施形態に限られるものではない。
【０１５７】
例えば、上記実施形態では、発光素子を有機ＥＬ素子として説明した。しかし、発光素子は、有機ＥＬ素子に限られるものではなく、例えば、無機ＥＬ素子又はＬＥＤであってもよい。
【０１５８】
＜電子機器の適用例＞
次に、上述した各実施形態に係る有機ＥＬ表示装置を適用した電子機器について図面を参照して説明する。
【０１５９】
上述した各実施形態に示した有機ＥＬ表示装置１は、例えばデジタルカメラ、パーソナルコンピュータ、携帯電話機等、種々の電子機器の表示デバイスとして良好に適用できるものである。
【０１６０】
図１３は、本発明に係る有機ＥＬ表示装置を適用したデジタルカメラの構成例を示す斜視図であり、図１４は、本発明に係る有機ＥＬ表示装置を適用したパーソナルコンピュータの構成例を示す斜視図であり、図１５は、本発明に係る有機ＥＬ表示装置を適用した携帯電話機の構成例を示す図である。
【０１６１】
図１３において、デジタルカメラ２００は、図１３（ａ）及び（ｂ）に示すように、レンズ部２０１と操作部２０２と表示部２０３とファインダー２０４とを備える。この表示部２０３に上記各実施形態に示した有機ＥＬ表示装置１が適用される。これによれば、表示部２０３において、画像データに応じた適切な輝度で発光動作させることができ、画質を向上させることができる。
【０１６２】
図１４において、パーソナルコンピュータ２１０は、表示部２１１と操作部２１２とを備え、この表示部２１１に上記各実施形態に示した有機ＥＬ表示装置１が適用される。これによれば、表示部２１１において、画像データに応じた適切な輝度で発光動作させることができ、画質を向上させることができる。
【０１６３】
図１５に示す携帯電話機２２０は、表示部２２１と、操作部２２２と、受話部２２３と送話部２２４とを備え、この表示部２２１に発光装置１０上記各実施形態に示した有機ＥＬ表示装置１が適用される。これによれば、表示部２２１において、画像データに応じた適切な輝度で発光動作させることができ、画質を向上させることができる。  なお、上述した各実施形態においては、有機ＥＬ表示装置が、複数の画素が二次元配列された表示パネルを備えて構成される場合について詳しく説明したが、本発明はこれに限定されるものではない。本発明に係る構成を、例えば発光素子を有する複数の画素が一方向に配列された発光素子アレイを備えて、感光体ドラムに画像データに応じて発光素子アレイから出射した光を照射して露光する露光装置に適用するものであってもよい。
【符号の説明】
【０１６４】
１…有機ＥＬ表示装置、２…表示パネル、３…セレクトドライバ、４…電源ドライバ、５…データドライバ、６…システムコントローラ、７…電流計、８…カソード回路、９…スイッチ、２１…画素、５０…シフトレジスタ回路、５１…データレジスタ回路、５２…データラッチ回路、５３…補正演算部、５４…ジタル電圧／アナログ電圧変換回路（ＤＡＣ）、５５…出力回路、５６…アナログ電圧／デジタル電圧変換回路（ＡＤＣ）、５７…発光効率取得部、５８…メモリ、２００…デジタルカメラ、２０１…レンズ部、２０２…操作部、２０３…表示部、２０４…ファインダー、２１０…パーソナルコンピュータ、２１１…表示部、２１２…操作部、２２０…携帯電話機、２２１…表示部、２２２…操作部、２２３…受話部、２２４…送話部
【図１】
0005170194.tif 000002
【図２】
0005170194.tif 000003
【図３】
0005170194.tif 000004
【図４】
0005170194.tif 000005
【図５】
0005170194.tif 000006
【図６】
0005170194.tif 000007
【図７】
0005170194.tif 000008
【図８】
0005170194.tif 000009
【図９】
0005170194.tif 000010
【図１０】
0005170194.tif 000011
【図１１】
0005170194.tif 000012
【図１２】
0005170194.tif 000013
【図１３】
0005170194.tif 000014
【図１４】
0005170194.tif 000015
【図１５】
0005170194.tif 000016